(57)【要約】【課題】液晶表示装置及び液晶駆動用半導体装置間に、ゲート線用配線を設けることができないことがあった。【解決手段】基板と、液晶表示装置と、液晶駆動用半導体装置と、複数の配線と、を含む液晶表示システムにおいて、液晶駆動用半導体装置の表面において相対的に内側に配置されるべき第１の複数のバンプが、当該液晶駆動用半導体装置における、液晶表示装置の一の辺に最も近い位置にあり、当該一の辺より短い辺の近傍で当該辺に沿って配置され、液晶駆動用半導体装置の表面において相対的に外側に配置されるべき第２の複数のバンプが、当該液晶駆動用半導体装置における、辺の近傍以外の位置に配置されている。【選択図】図１
2008083223.tif 000002
【特許請求の範囲】
【請求項１】
基板と、
前記基板上に設けられ、複数のゲート線と、複数のソース線と、前記複数のゲート線と前記複数のソース線とが交差する位置に設けられた複数の液晶とを有する液晶表示装置であって、前記複数のゲート線及び前記複数のソース線の端部が、当該液晶表示装置の一の辺に設けられている前記液晶表示装置と、
前記複数の液晶を駆動すべく、前記複数のゲート線及び前記複数のソース線を介して前記複数の液晶に印加するゲート電圧及びソース電圧を出力するための複数のバンプを有する液晶駆動用半導体装置と、
前記液晶表示装置の前記ゲート線及び前記ソース線と、前記液晶駆動用半導体装置の前記複数のバンプとを接続するための複数の配線と、を含む液晶表示システムにおいて、
前記複数のバンプのうち、前記液晶駆動用半導体装置の表面において相対的に内側に配置されるべき第１の複数のバンプが、当該液晶駆動用半導体装置における、前記液晶表示装置の前記一の辺に最も近い位置にあり、当該一の辺より短い辺の近傍で当該辺に沿って配置され、
前記複数のバンプのうち、前記液晶駆動用半導体装置の表面において相対的に外側に配置されるべき第２の複数のバンプが、当該液晶駆動用半導体装置における、前記辺の近傍以外の位置に配置されていることを特徴とする液晶駆動用半導体装置。
【請求項２】
前記液晶駆動用半導体装置の前記辺と、前記複数の配線のうち前記第２の複数のバンプに対応する２以上の配線とが規定する面積及び角度が、当該２以上の配線が占める面積、及び、前記第１の複数のバンプの位置により特定される要件を満足することを特徴とする請求項１記載の液晶駆動用半導体装置。
【発明の詳細な説明】
【技術分野】
【０００１】
本発明は、液晶表示システムにおける、液晶表示装置を駆動するためのゲート電圧及びソース電圧を出力するためのバンプを有する液晶駆動用半導体装置に関する。
【背景技術】
【０００２】
図２に示されるように、従来の液晶表示システムｐは、基板ＳＢと、当該基板ＳＢ上に設けられた液晶表示装置ＬＤと、前記基板ＳＢ上に設けられ前記液晶表示装置ＬＤを駆動するためのゲート線及びソース線を出力する液晶駆動用半導体装置ｄｉｃとを含む。加えて、液晶表示装置ＬＤが、３２０×２４０の画素（各画素は３色（ＲＧＢ）で表現される。）からなるＱＶＧＡ（Ｑｕａｒｔｅｒ  Ｖｉｄｅｏ  Ｇｒａｐｈｉｃｓ  Ａｒｒａｙ）タイプであることを想定すると、液晶表示装置ＬＤが、３２０本のゲート線ＧＬ１、ＧＬ２、．．．、ＧＬ３２０、及び、７２０本（＝３色×２４０本）のソース線ＳＬ１、ＳＬ２、．．．ＳＬ７２０を有することから、液晶表示システムｐは、前記液晶表示装置ＬＤと前記液晶駆動用半導体装置ｄｉｃとを接続すべく、更に、３２０本のゲート線用配線ｇｗ１〜ｇｗ１６０、ｇｗ１６１〜ｇｗ３２０と、７２０本のソース線用配線ＳＷ１〜ＳＷ７２０とを含む。
【０００３】
上記したような構成を有する液晶表示システムｐでは、液晶駆動用半導体装置ｄｉｃにおける、液晶表示装置ＬＤに最も近い辺ＳＤ１に沿って３２０個のゲート線用バンプｇｂ１〜ｇｂ１６０、ｇｂ１６１〜ｇｂ３２０、及び、７２０個のソース線用バンプＳＢ１〜ＳＢ７２０が設けられている。
【０００４】
前記液晶駆動用半導体装置ｄｉｃにおける、前記３２０個のゲート線用バンプｇｂ１〜１６０、ｇｂ１６１〜ｇｂ３２０、及び、７２０個のソース線用バンプＳＢ１〜ＳＢ７２０と、前記液晶表示装置ＬＤにおける３２０本のゲート線ＧＬ１〜ＧＬ３２０、及び、７２０本のソース線ＳＬ１〜ＳＬ７２０とが、３２０本のゲート線用配線ｇｗ１〜ｇｗ１６０、ｇｗ１６１〜ｇｗ３２０、及び、７２０本のソース線用配線ＳＷ１〜ＳＷ７２０により接続されている。上記したように、液晶駆動用半導体装置ｄｉｃにおける辺ＳＤ１は、液晶表示装置ＬＤに最も近いことから、これらの配線の長さは、最も短くなっている。
【発明の開示】
【発明が解決しようとする課題】
【０００５】
しかしながら、従来の液晶表示システムｐでは、前記液晶駆動用半導体装置ｄｉｃの辺ＳＤ１に対向する、液晶表示装置ＬＤの辺ＳＤ１１（ゲート線ＧＬ１〜ＧＬ３２０、ソース線ＳＬ１〜ＳＬ７２０の端部が設けられている辺）が、前記液晶駆動用半導体装置ｄｉｃの辺ＳＤ１に比較して長く、他方で、両辺ＳＤ１、ＳＤ１１間が比較的狭い。これにより、前記辺ＳＤ１とゲート線用配線ｇｗ１〜ｇｗ１６０、ｇｗ１６１〜ｇｗ３２０とのなす角θが、極めて鋭角になり、また、ゲート線用バンプｇｂ１〜ｇｂ１６０、ｇｂ１６１〜ｇｂ３２０により規定される線分を「一方の底辺」として、ゲート線ＧＬ１〜ＧＬ３２０の前記端部により規定される線分を「他方の底辺」とし、両辺ＳＤ１、ＳＤ１１間の距離を「高さ」とする「台形」の面積が極めて小さくなる。この結果、ゲート線用配線ｇｗ１〜ｇｗ１６０、ｇｗ１６１〜ｇｗ３２０が相互に接触する恐れが高くなる。その結果、前記液晶表示装置ＬＤ及び前記液晶駆動用半導体装置ｄｉｃ間の距離を長くしなければ、ゲート線用配線ｇｗ１〜ｇｗ１６０、ｇｗ１６１〜ｇｗ３２０を設けることができないという問題があった。
【課題を解決するための手段】
【０００６】
本発明に係る液晶駆動用半導体装置では、上記した課題を解決すべく、
基板と、
前記基板上に設けられ、複数のゲート線と、複数のソース線と、前記複数のゲート線と前記複数のソース線とが交差する位置に設けられた複数の液晶とを有する液晶表示装置であって、前記複数のゲート線及び前記複数のソース線の端部が、当該液晶表示装置の一の辺に設けられている前記液晶表示装置と、
前記複数の液晶を駆動すべく、前記複数のゲート線及び前記複数のソース線を介して前記複数の液晶に印加するゲート電圧及びソース電圧を出力するための複数のバンプを有する液晶駆動用半導体装置と、
前記液晶表示装置の前記ゲート線及び前記ソース線と、前記液晶駆動用半導体装置の前記複数のバンプとを接続するための複数の配線と、を含む液晶表示システムにおいて、
前記複数のバンプのうち、前記液晶駆動用半導体装置の表面において相対的に内側に配置されるべき第１の複数のバンプが、当該液晶駆動用半導体装置における、前記液晶表示装置の前記一の辺に最も近い位置にあり、当該一の辺より短い辺の近傍で当該辺に沿って配置され、
前記複数のバンプのうち、前記液晶駆動用半導体装置の表面において相対的に外側に配置されるべき第２の複数のバンプが、当該液晶駆動用半導体装置における、前記辺の近傍以外の位置に配置されている。
【０００７】
本発明に係る液晶駆動用半導体装置では、前記第２の複数のバンプが、当該液晶駆動用半導体装置における、前記辺の近傍以外の位置に配置されていることにより、前記第２の複数のバンプと、前記複数のゲート線及び前記複数のソース線のうち前記第２の複数のバンプに対応する線の端部と、前記液晶表示装置の前記一の辺及び前記液晶駆動用半導体装置の前記辺間の距離とにより特定される面積、及び、前記複数の配線のうち前記第２の複数のバンプに対応する配線と前記辺との成す角が、従来に比して大きくなることから、前記液晶表示装置及び前記液晶駆動用半導体装置間の距離を長くすることなく、当該第２の複数のバンプに対応する配線を設けることができる。
【０００８】
上記した本発明に係る液晶駆動用半導体装置では、
前記液晶駆動用半導体装置の前記辺と、前記複数の配線のうち前記第２の複数のバンプに対応する２以上の配線とが規定する面積及び角度が、当該２以上の配線が占める面積、及び、前記第１の複数のバンプの位置により特定される要件を満足する。
【発明を実施するための最良の形態】
【０００９】
本発明に係る液晶駆動用半導体装置を含む液晶表示システムの実施例について図面を参照して説明する。
【００１０】
図１は、実施例の液晶表示システムの構成を示す。実施例の液晶表示システムＰは、図１に示されるように、基板ＳＢと、液晶表示装置ＬＤと、ゲート線用配線ＧＷ１〜ＧＷ１６０、ＧＷ１６１〜ＧＷ３２０と、ソース線用配線ＳＷ１〜ＳＷ７２０と、液晶駆動用半導体装置ＤＩＣと、を含む。
【００１１】
基板ＳＢは、例えば、ガラスからなり、矩形の薄板状である。
【００１２】
液晶表示装置ＬＤは、薄膜トランジスタ（ＴＦＴ）型であり、ＱＶＧＡであることを想定すると、３２０本のゲート線ＧＬ１、ＧＬ２、．．．、ＧＬ３２０、及び、７２０本のソース線ＳＬ１、ＳＬ２、、．．．ＳＬ７２０が配線されている。より詳しくは、ゲート線ＧＬ１〜ＧＬ３２０は、液晶表示装置ＬＤの輪郭の近傍（外側）で当該輪郭に沿って、即ち、Ｌ字状に配線されており、他方で、ソース線ＳＬ１〜ＳＬ７２０は、液晶表示装置ＬＤの中央近傍（内側）で、直線状に配線されている。ゲート線ＧＬ１〜ＧＬ３２０、及び、ソース線ＳＬ１〜ＳＬ７２０が交差する各位置には、従来知られたように、ＴＦＴ及び液晶（図示せず。）が配置されている。当該各液晶は、液晶駆動用半導体装置ＤＩＣから出力され、ゲート線ＧＬ１〜ＧＬ３２０、ソース線ＳＬ１〜ＳＬ７２０、及び、ＴＦＴを介して印加されるゲート電圧及びソース電圧により駆動される。
【００１３】
ゲート線用配線ＧＷ１〜ＧＷ１６０、ＧＷ１６１〜ＧＷ３２０、及び、ソース線用配線ＳＷ１〜ＳＷ７２０は、例えば、アルミニウムや銅からなり、液晶駆動用半導体装置ＤＩＣが、液晶表示装置ＬＤにゲート電圧及びソース電圧を印加することができるように、液晶表示装置ＬＤの辺ＳＤ１１上における、ゲート線ＧＬ１〜ＧＬ３２０の端部ＧＥ１〜ＧＥ３２０、及び、ソース線ＳＬ１〜ＳＬ７２０の端部ＳＥ１〜ＳＥ７２０と、液晶駆動用半導体装置ＤＩＣのゲート線用バンプＧＢ１〜ＧＢ３２０、ソース線用バンプＳＢ１〜ＳＢ７２０（詳細は後述。）とを接続している。
【００１４】
液晶駆動用半導体装置ＤＩＣは、ゲート線用配線ＧＷ１〜ＧＷ３２０、及び、ソース線用配線ＳＷ１〜ＳＷ７２０を固定するためのゲート線用バンプＧＢ１〜ＧＢ１６０、ＧＢ１６１〜ＧＢ３２０、及び、ソース線用バンプＳＢ１〜ＳＢ７２０を備える。液晶表示装置ＬＤの中央寄り（側辺ＳＤ２、ＳＤ３から相対的に遠い領域）に位置すべきソース用配線ＳＷ１〜ＳＷ７２０については、ソース線用バンプＳＢ１〜ＳＢ７２０は、従来と同様に、液晶駆動用半導体装置ＤＩＣにおける、液晶表示装置ＬＤの辺ＳＤ１１に最も近く、辺ＳＤ１１に平行であり、辺ＳＤ１１より短い辺ＳＤ１の近傍で当該辺ＳＤ１に沿って配置されている。
【００１５】
他方で、液晶表示装置ＬＤの外側寄り（側辺ＳＤ２、ＳＤ３に相対的に近い領域）に位置すべきゲート線用配線ＧＷ１〜ＧＷ１６０、ＧＷ１６１〜ＧＷ３２０については、ゲート線用バンプＧＢ１〜ＧＢ１６０、ＧＢ１６１〜ＧＢ３２０は、液晶表示装置ＬＤの辺ＳＤ１の近傍ではなく、液晶表示装置ＬＤの表面における中央寄り（辺ＳＤ１から離れた位置）に配置されている。
【００１６】
上記した実施例の液晶表示システムＰによれば、液晶表示装置ＬＤの外側近傍に配線すべきゲート線ＧＬ１〜ＧＬ１６０、ＧＬ１６１〜ＧＬ３２０と接続すべきゲート線用配線ＧＷ１〜ＧＷ１６０、ＧＷ１６１〜ＧＷ３２０のためのゲート線用バンプＧＢ１〜ＧＢ１６０、ＧＢ１６１〜ＧＢ３２０が、液晶表示装置ＬＤの中央近傍に配置されている。これにより、液晶表示装置ＬＤ及び液晶駆動用半導体装置ＤＩＣ間で、ゲート線用配線ＧＷ１〜ＧＷ１６０、ＧＷ１６１〜ＧＷ３２０を設けるための面積Ｍ、即ち、ゲート線ＧＬ１〜ＧＬ１６０の端部ＧＥ１〜ＧＥ１６０（台形の一方の底辺に相当。）と、ゲート線用バンプＧＢ１〜ＧＢ１６０（前記台形の他方の底辺に相当。）と、辺ＳＤ１及び辺ＳＤ１１間の距離（前記台形の高さに相当。）により定める台形の面積Ｍ、並びに、ゲート線ＧＬ１６１〜ＧＬ３２０の端部ＧＥ１６１〜ＧＥ３２０（台形の一方の底辺に相当。）と、ゲート線用バンプＧＢ１６１〜ＧＢ３２０（前記台形の他方の底辺に相当。）と、辺ＳＤ１及び辺ＳＤ１１間の距離（前記台形の高さに相当。）により定める他の台形の面積Ｍが従来に比して大きくなり、また、辺ＳＤ１及びゲート線用配線ＧＷ１〜ＧＷ１６０、ＧＷ１６１〜ＧＷ３２０の各々とにより定まる角度θが従来に比して大きくなる。この結果、液晶表示装置ＬＤの辺ＳＤ１１及び液晶駆動用半導体装置ＤＩＣの辺ＳＤ１間に、ゲート線用配線ＧＷ１〜ＧＷ１６０、ＧＷ１６１〜ＧＷ３２０を相互に接触することなく配線することが可能となる。
【００１７】
《変形例》
上記したような、ゲート線用バンプＧＢ１〜ＧＢ１６０、ＧＢ１６１〜ＧＢ３２０を、液晶駆動用半導体ＤＩＣの表面の中央近傍に設けることに代えて、辺ＳＤ２、ＳＤ３、ＳＤ４に設けることも可能であり、更には、上記した台形の面積Ｍが、ゲート線用配線ＧＷ１〜ＧＷ１６０、ＧＷ１６１〜ＧＷ３２０が占める面積（配線自身の面積と配線間の面積とからなる。）より大きく、かつ、上記した角度θが、例えば、ゲート線用配線ＧＷ１６０とソース線用バンプＳＢ１とが接触せず、同様に、ゲート線用配線ＧＷ１６１と、ソース線用バンプＳＢ７２０とが接触しないような大きさであれば、他の位置に設けることによっても、上記したと同様な効果を得ることができる。
【図面の簡単な説明】
【００１８】
【図１】実施例の液晶表示システムの構成を示す図。
【図２】従来の液晶表示システムの構成を示す図。
【符号の説明】
【００１９】
Ｐ…液晶表示システム、ＬＤ…液晶表示装置、ＤＩＣ…液晶駆動用半導体装置、ＳＢ…基板、ＧＢ１〜ＧＢ１６０、ＧＢ１６１〜ＧＢ３２０…ゲート線用バンプ。
【図１】
2008083223.tif 000003
【図２】
2008083223.tif 000004